Podtech/llm-jp-corpus-v4-ja_patent huggingface dataset:
【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
脱塩水中、蒸留水中又は化学的純水中の０．０５〜２０％（重量／重量）の過酸化水素の溶液を非熱的放電処理に付すことにより得られる、０．０５〜２０％（重量／重量）の過酸化水素を含む活性化殺生物性水溶液において、該活性化殺生物性溶液は２〜４の範囲のｐＨ、４００〜６００ｍＶの範囲の酸化還元電位（ＯＲＰ）を有し、かつ、０．０５％〜０．５％（重量／重量）の範囲のパーオキシド含量を有するときの該溶液は１００〜５００μジーメンス／ｃｍ、好ましくは１００〜４５０μジーメンス／ｃｍの範囲の電気伝導度を有し、０．１％〜５％（重量／重量）の範囲のパーオキシド含量を有するときの該溶液は１００〜４５０μジーメンス／ｃｍ、好ましくは１００〜３５０μジーメンス／ｃｍの範囲の電気伝導度を有し、そして、５％〜２０％（重量／重量）の範囲のパーオキシド含量を有するときの該溶液は１００〜３５０μジーメンス／ｃｍの範囲の電気伝導度を有する、上記活性化殺生物性水溶液。
【請求項２】
該溶液中に追加的な化合物の存在が実質的に無い条件下で、該ｐＨ、ＯＲＰ及び電気伝導度が計測可能である、請求項１の活性化殺生物性水溶液。
【請求項３】
利用しうる遊離の塩素（ＡＦＣ）含量を実質的に有さない、請求項１又は２の活性化殺生物性水溶液。
【請求項４】
４００〜５００、好ましくは４２０〜４９０ｍＶのＯＲＰを有する、請求項１〜３のいずれか１項に記載の活性化殺生物性水溶液。
【請求項５】
該非熱的放電プロセスが、グロー放電プラズマ又はコロナ放電、好ましくはパルスＤＣグロー放電プラズマ、より好ましくはパルスコロナ誘起パルスＤＣグロー放電プラズマである、請求項１〜４のいずれか１項に記載の活性化殺生物性水溶液。
【請求項６】
請求項１〜５のいずれか１項に従う活性化殺生物性溶液と添加物とを含む組成物。
【請求項７】
該添加物が、銀塩；銀コロイド；亜鉛塩；クロルヘキシジン；陽イオン性界面活性剤、陰イオン性界面活性剤、非イオン性界面活性剤及び／又は両性界面活性剤；乳化剤；ハイドロトロープ；グリセロール；スズ酸塩；キレート化剤；アルコール；酸；塩基；香料；着色性化学物質；及び／又は表面張力低下剤である、請求項６に記載の組成物。
【請求項８】
殺菌活性及び／又は消毒活性及び／又は洗浄活性及び／又は漂白活性及び／又は防腐活性が必要とされるところの任意の目的の為に、請求項１〜５のいずれか１項に従う殺生物性水溶液又は請求項６若しくは７に従う組成物を使用する方法。
【請求項９】
請求項１〜５のいずれか１項に従う活性化殺生物性水溶液の調製のための方法であって、
（ａ）非熱的放電処理に適当なチャンバー中に、層の形態で０．０５〜２０％（重量／重量）の過酸化水素を含む水溶液を配置すること、
（ｂ）（ａ）の層中に電極を配置し、かつ、該層の上の気相中に反対の電位を有する電極を配置すること、
（ｃ）チャンバー中で非熱的放電を生成すること、及び、
（ｄ）該パーオキシド溶液を該非熱的放電に付して、活性化パーオキシド溶液を得ること、
を含む上記方法。
【請求項１０】
該非熱的放電がグロー放電プラズマ又はコロナ放電である、請求項９に記載の方法。
【請求項１１】
該グロー放電プラズマ又は該コロナ放電が、パルスモードで動作され且つ／又は直流（ＤＣ）放電（プラズマ）である、請求項１０に記載の方法。
【請求項１２】
該グロー放電プラズマ、好ましくは該ＤＣグロー放電プラズマが、コロナ、好ましくはパルスコロナにより誘起される、請求項１０又は１１に記載の方法。
【請求項１３】
該グロー放電プラズマが、好ましくは５０〜５，０００Ｈｚの範囲、より好ましくは１００〜１，０００Ｈｚの範囲の周波数で実施される、パルスコロナ誘起パルスＤＣグロー放電プラズマである、請求項１２に記載の方法。
【請求項１４】
請求項１〜５のいずれか１項に記載の活性化殺生物性溶液の有効量又は請求項６若しくは７に記載の組成物の有効量と、基体を接触させることを含む、該基体を殺菌する方法。
【手続補正書】
【提出日】平成21年10月22日(2009.10.22)
【手続補正１】
【補正対象書類名】特許請求の範囲
【補正対象項目名】全文
【補正方法】変更
【補正の内容】
【特許請求の範囲】
【請求項１】
月経前障害の治療用医薬品を製造するための、式（Ｉ）で表される化合物：
【化１】
2009513604.tif 000001
（式中、Ｒ1、Ｒ2、Ｒ3及びＲ4は水素又は水酸基を表すが、但しＲ1、Ｒ2、Ｒ3及びＲ4が同時に水素を表さないことを前提とする）であって、医薬的に許容される酸付加塩の状態であってもよい化合物の使用。
【請求項２】
前記月経前障害が、月経前情動不安、月経前症候群、月経前不快気分障害からなる群から選択されることを特徴とする、請求項１記載の使用。
【請求項３】
女性の性的興奮障害の治療用医薬品を調製するための、医薬的に許容される酸付加塩の状態であってもよい、請求項１記載の式（Ｉ）の化合物の使用。
【請求項４】
女性のオルガズム障害の治療用医薬品を調製するための、医薬的に許容される酸付加塩の状態であってもよい、請求項１記載の式（Ｉ）の化合物の使用。
【請求項５】
女性の性的疼痛障害の治療用医薬品を調製するための、医薬的に許容される酸付加塩の状態であってもよい、請求項１記載の式（Ｉ）の化合物の使用。
【請求項６】
前記性的疼痛障害が、性交痛、膣痙攣、性器結合以外の性行為による疼痛障害、一般身体疾患による性機能障害及び物質誘発性性機能不全からなる群から選択されることを特徴とする、請求項５記載の使用。
【請求項７】
前記式（Ｉ）の化合物が、マレイン酸、クエン酸、酒石酸、メタンスルホン酸、酢酸、安息香酸、コハク酸、グルコン酸、イセチオン酸、グリシン酸、乳酸、リンゴ酸、ムコン酸（mucoic acid）、グルタミン酸、スルファミン酸、アスコルビン酸、塩酸、臭化水素酸、硝酸、硫酸、リン酸及びこれらの混合物からなる群から選択される酸により形成される塩から選択される、医薬的に許容される酸付加塩の状態で適用されることを特徴とする、請求項１〜６のいずれか１項記載の使用。
【請求項８】
前記式（Ｉ）の化合物が、１日あたり0.1〜400mgの投与量範囲で適用される、請求項１〜７のいずれか１項記載の使用。
【請求項９】
前記式（Ｉ）の化合物が、化合物（I.a）であることを特徴とする、請求項１〜８のいずれか１項記載の使用。
【化２】
2009513604.tif 000002
【請求項１０】
前記式（Ｉ）の化合物が、化合物（I.b）であることを特徴とする、請求項１〜８のいずれか１項記載の使用。
【化３】
2009513604.tif 000003
【請求項１１】
前記式（Ｉ）の化合物が、化合物（I.c）であることを特徴とする、請求項１〜８のいずれか１項記載の使用。
【化４】
2009513604.tif 000004
【請求項１２】
前記式（Ｉ）の化合物が、化合物（I.d）であることを特徴とする、請求項１〜８のいずれか１項記載の使用。
【化５】
2009513604.tif 000005
【請求項１３】
前記式（Ｉ）の化合物が、化合物（I.e）であることを特徴とする、請求項１〜８のいずれか１項記載の使用。
【化６】
2009513604.tif 000006
【請求項１４】
前記式（Ｉ）の化合物が、化合物（I.f）であることを特徴とする、請求項１〜８のいずれか１項記載の使用。
【化７】
2009513604.tif 000007
【請求項１５】
前記式（Ｉ）の化合物が、化合物（I.g）であることを特徴とする、請求項１〜８のいずれか１項記載の使用。
【化８】
2009513604.tif 000008
【請求項１６】
前記式（Ｉ）の化合物が、化合物（I.h）であることを特徴とする、請求項１〜８のいずれか１項記載の使用。
【化９】
2009513604.tif 000009
【請求項１７】
式（Ｉ）で表される化合物：
【化１０】
2009513604.tif 000010
（式中、Ｒ1、Ｒ2、Ｒ3及びＲ4は水素又は水酸基を表すが、但しＲ1、Ｒ2、Ｒ3及びＲ4が同時に水素を表さないことを前提とする）であって、医薬的に許容される酸付加塩の状態であってもよい化合物を含有する、月経前障害、女性の性的興奮障害、女性のオルガズム障害又は女性の性的疼痛障害の治療用医薬組成物。
【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
カプセルへの封入のための二重制御放出液体マトリクスであって、該マトリクスは：
（ａ） 親水性ベヒクルを含む、最初の速度調節バリア；
（ｂ） 該親水性ベヒクル中に溶解または分散されたヒドロゲル形成ポリマー材料を含む第２の速度調節バリア；および
（ｃ） 該最初の速度調節バリアおよび該第２の速度調節バリア中に溶解または分散された治療薬、予防薬、または診断薬
を含み、前記治療薬、予防薬、または診断薬の放出は二相性である、マトリクス。
【請求項２】
請求項１に記載のマトリクスであって、前記第２の速度調節バリアが、前記最初の速度調節バリア中に溶解または分散される、マトリクス。
【請求項３】
請求項１に記載のマトリクスであって、前記親水性ベヒクルが、ポリエチレングリコール、ポリオキシエチレン３２ラウリルグリセリド、およびポリオキシエチレン８カプリル／カプリングリセリド、グリコフロールならびにポリソルベートからなる群より選択される、マトリクス。
【請求項４】
請求項１に記載のマトリクスであって、前記親水性ベヒクルが、該マトリクスの約１０重量％から約８０重量％の量で存在する、マトリクス。
【請求項５】
請求項３に記載のマトリクスであって、前記親水性ベヒクルが、該マトリクスの約２０重量％から約６０重量％の量で存在する、マトリクス。
【請求項６】
請求項１に記載のマトリクスであって、前記親水性ベヒクルと混和できる一つまたはそれより多い溶媒をさらに含んでいる、マトリクス。
【請求項７】
請求項６に記載のマトリクスであって、前記一つまたはそれより多い混和できる溶媒が、グリセリン、プロピレングリコール、エタノール、グリコフロールおよびＣａｐｍｕｌＭＣＭ Ｃ８からなる群より選択される、マトリクス。
【請求項８】
請求項６に記載のマトリクスであって、前記一つまたはそれより多い混和できる溶媒が、充填材料の約０重量％から約８０重量％の量で存在する、マトリクス。
【請求項９】
請求項１に記載のマトリクスであって、前記ヒドロゲル形成ポリマー材料が、セルロースエーテル、架橋されたアクリラート、アルギナート、ガーゴム、キサンタンガム、カラゲナン、カルボキシメチルセルロース、高分子量ポリピロリドン、およびそれらの混合物からなる群より選択される、マトリクス。
【請求項１０】
請求項１に記載のマトリクスであって、前記ヒドロゲル形成ポリマー材料が、該マトリクスの約３重量％から約８０重量％の量で存在する、マトリクス。
【請求項１１】
請求項１０に記載のマトリクスであって、前記ヒドロゲル形成ポリマー材料が、該マトリクスの約５重量％から約５０重量％の量で存在する、マトリクス。
【請求項１２】
請求項１に記載のマトリクスであって、前記治療薬、予防薬、または診断薬が、興奮剤；鎮痛剤；麻酔剤；抗喘息剤；抗関節炎剤；抗癌剤；抗コリン作用剤；抗痙攣剤；抗うつ剤；抗糖尿病剤；下痢止め剤；抗嘔吐剤；抗寄生虫剤；抗ヒスタミン剤；抗高脂血症剤；抗高血圧剤；抗感染症剤；抗炎症剤；抗片頭痛剤；抗腫瘍剤；抗パーキンソン薬；止痒剤；抗不安薬；解熱剤；抗痙攣剤；抗結核薬；抗潰瘍剤；抗ウイルス剤；精神安定剤；食欲抑制剤（摂食障害剤）；注意欠陥障害薬および注意力欠損高活動性異常薬；心血管剤（カルシウムチャンネルブロッカー、抗狭心症薬、中枢神経系（「ＣＮＳ」）剤、ベータブロッカー、および抗不整脈剤を含む）；中枢神経興奮薬；利尿剤；遺伝物質；ホルモン分解薬；催眠剤；血糖降下剤；免疫抑制剤；筋弛緩剤；麻薬拮抗薬；ニコチン；栄養剤；副交感神経遮断薬；ペプチド薬；精神刺激薬；鎮静剤；唾液分泌促進剤；ステロイド；禁煙剤；交感神経様作用薬；精神安定剤；血管拡張剤；ベータ作動薬；子宮収縮抑制剤、ならびにそれらの組み合わせからなる群より選択される、マトリクス。
【請求項１３】
請求項１に記載のマトリクスであって、前記治療薬、予防薬、または診断薬が、乱用される傾向のある薬剤である、マトリクス。
【請求項１４】
請求項１に記載のマトリクスであって、該マトリクスが、カプセル中に封入される、マトリクス。
【請求項１５】
請求項１４に記載のマトリクスであって、前記カプセルが、軟ゼラチンカプセル、硬ゼラチンカプセル、および非ゼラチン軟カプセルからなる群より選択される、マトリクス。
【請求項１６】
請求項１に記載のマトリクスであって、前記薬学的に活性な物質の放出が、２４時間まで調節される、マトリクス。
【請求項１７】
請求項１から請求項１３、または請求項１５または請求項１６の任意の一つによって規定されるマトリクスを含む、カプセル。
【請求項１８】
カプセル中に封入する二重制御放出マトリクスを製造する方法であって、ヒドロゲル形成ポリマー材料、および一つまたはそれより多い治療薬、予防薬、または診断薬を含む第２の速度調節バリアを、親水性ベヒクルを含む最初の速度調節バリア中に分散させて、請求項１から請求項１６のいずれか１項によって規定されるマトリクスを形成する工程を包含する、方法。
【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
ニューロンを、
（ｉ）可溶性ＯＭｇｐポリペプチド；
（ｉｉ）ＯＭｇｐ抗体またはその断片；
（ｉｉｉ）ＯＭｇｐアンタゴニストポリヌクレオチド、および
（ｉｖ）前記（ｉ）〜（ｉｉｉ）のＯＭｇｐアンタゴニストの２種類以上の組合せ
からなる群より選択されるＯＭｇｐアンタゴニストの有効量に、
接触させることを含む、ニューロンの分化または生存を促進させるためのインビトロでの方法。
【請求項２】
希乏突起神経膠細胞を、
（ｉ）可溶性ＯＭｇｐポリペプチド；
（ｉｉ）ＯＭｇｐ抗体またはその断片；
（ｉｉｉ）ＯＭｇｐアンタゴニストポリヌクレオチド、および
（ｉｖ）前記（ｉ）〜（ｉｉｉ）のＯＭｇｐアンタゴニストの２種類以上の組合せ
からなる群より選択されるＯＭｇｐアンタゴニストと接触させることを含む、希乏突起神経膠細胞の分化または生存を促進させるためのインビトロでの方法。
【請求項３】
ニューロンの髄鞘形成を促進することを必要とする被験体においてニューロンの髄鞘形成を促進するための組成物であって、該組成物は、
（ｉ）可溶性ＯＭｇｐポリペプチド；
（ｉｉ）ＯＭｇｐ抗体またはその断片；
（ｉｉｉ）ＯＭｇｐアンタゴニストポリヌクレオチド、および
（ｉｖ）前記（ｉ）〜（ｉｉｉ）のＯＭｇｐアンタゴニストの２種類以上の組合せ
からなる群より選択されるＯＭｇｐアンタゴニストの有効量を含む、組成物。
【請求項４】
哺乳動物におけるニューロンの死またはニューロンの分化の欠如と関連する疾患、障害または損傷を処置するための医薬の製造のための組成物であって、該組成物は、
（ｉ）可溶性ＯＭｇｐポリペプチド；
（ｉｉ）ＯＭｇｐ抗体またはその断片；
（ｉｉｉ）ＯＭｇｐアンタゴニストポリヌクレオチド、および
（ｉｖ）前記（ｉ）〜（ｉｉｉ）のＯＭｇｐアンタゴニストの２種類以上の組合せ
からなる群より選択されるＯＭｇｐアンタゴニストを含む組成物の治療有効量を含む、組成物。
【請求項５】
哺乳動物における髄鞘発育不全または脱髄と関連する疾患、障害または損傷を処置するための医薬の製造のための組成物であって、該組成物は、
（ｉ）可溶性ＯＭｇｐポリペプチド；
（ｉｉ）ＯＭｇｐ抗体；
（ｉｉｉ）ＯＭｇｐアンタゴニストポリヌクレオチド、および
（ｉｖ）前記（ｉ）〜（ｉｉｉ）のＯＭｇｐアンタゴニストの２種類以上の組合せ
からなる群より選択される治療有効量のＯＭｇｐアンタゴニストを含む、組成物。
【請求項６】
前記ＯＭｇｐアンタゴニストが可溶性ＯＭｇｐポリペプチドを含む、請求項１または２に記載の方法。
【請求項７】
前記可溶性ＯＭｇｐポリペプチドが、
（ｉ）ＯＭｇｐシステイン高含有ドメイン、
（ｉｉ）ＯＭｇｐ  ＬＲＲドメイン；
（ｉｉｉ）ＯＭｇｐセリン／トレオニン高含有ドメイン；および
（ｉｖ）前記（ｉ）〜（ｉｉｉ）のＯＭｇｐドメインの少なくとも２種類の組合せ
からなる群より選択されるＯＭｇｐドメインを欠失している、請求項６に記載の方法。
【請求項８】
前記可溶性ＯＭｇｐポリペプチドが環状ペプチドである、請求項６に記載の方法。
【請求項９】
前記可溶性ＯＭｇｐポリペプチドが非ＯＭｇｐ部分をさらに含む、請求項６に記載の方法。
【請求項１０】
前記ＯＭｇｐアンタゴニストがＯＭｇｐ抗体またはその断片を含む、請求項１または請求項２に記載の方法。
【請求項１１】
前記ＯＭｇｐアンタゴニストが、ＯＭｇｐアンタゴニストポリヌクレオチドを含む、請求項１または請求項２に記載の方法。
【請求項１２】
（ａ）発現制御配列への作動可能な連結を介して前記ＯＭｇｐアンタゴニストをコードするポリヌクレオチドで、前記ニューロンまたは希乏突起神経膠細胞をトランスフェクトすること、および（ｂ）前記ＯＭｇｐアンタゴニストの発現を可能にすることを含む、請求項１または請求項２に記載の方法。
【請求項１３】
前記ＯＭｇｐアンタゴニストが可溶性ＯＭｇｐポリペプチドを含む、請求項３〜５いずれか１項に記載の組成物。
【請求項１４】
前記可溶性ＯＭｇｐポリペプチドが、
（ｉ）ＯＭｇｐシステイン高含有ドメイン、
（ｉｉ）ＯＭｇｐ  ＬＲＲドメイン；
（ｉｉｉ）ＯＭｇｐセリン／トレオニン高含有ドメイン；および
（ｉｖ）前記（ｉ）〜（ｉｉｉ）のＯＭｇｐドメインの少なくとも２種類の組合せ
からなる群より選択されるＯＭｇｐドメインを欠失している、請求項１３に記載の組成物。
【請求項１５】
前記可溶性ＯＭｇｐポリペプチドが環状ペプチドである、請求項１３に記載の組成物。
【請求項１６】
前記可溶性ＯＭｇｐポリペプチドが非ＯＭｇｐ部分をさらに含む、請求項１３に記載の組成物。
【請求項１７】
前記ＯＭｇｐアンタゴニストがＯＭｇｐ抗体またはその断片を含む、請求項３〜５いずれか１項に記載の組成物。
【請求項１８】
前記ＯＭｇｐアンタゴニストが、ＯＭｇｐアンタゴニストポリヌクレオチドを含む、請求項３〜５いずれか１項に記載の組成物。
【請求項１９】
前記哺乳動物が、脱髄、髄鞘発育不全または神経変性を伴う疾患、障害または損傷と診断されている、請求項４または請求項５に記載の組成物。
【請求項２０】
前記治療有効量のＯＭｇｐアンタゴニストが、神経系の疾患、障害または損傷の部位またはその近傍で、ニューロンまたは希乏突起神経膠細胞の分化の阻害を低減するのに充分である、請求項３〜５いずれか１項に記載の組成物。
【請求項２１】
前記治療有効量のＯＭｇｐアンタゴニストが、神経系の疾患、障害または損傷の部位またはその近傍で、ニューロンの髄鞘形成の阻害を低減するのに充分である、請求項３〜５いずれか１項に記載の組成物。
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
植物成長における植物生殖成長刺激物質としてのカフェインファミリーのメンバーの使用であって、成長している植物へのカフェインファミリーメンバーの施用を包含し、カフェインファミリーメンバーを植物生殖成長刺激を成就するのに適切なレベルで施用する、上記使用。
【請求項２】
植物成長における植物の成熟を促進するためのカフェインファミリーのメンバーの使用であって、成長している植物へのカフェインファミリーメンバーの施用を包含し、カフェインファミリーメンバーを成長している植物の成熟を促進するのに適切なレベルで施用する、上記使用。
【請求項３】
植物成長における植物の着色又は結実を促進するためのカフェインファミリーのメンバの使用であって、成長している植物へのカフェインファミリーメンバーの施用を包含し、カフェインファミリーメンバーを成長している植物における植物の着色又は結実を促進するのに適切なレベルで施用する、上記使用。
【請求項４】
植物成長における植物の開花を促進するためのカフェインファミリーメンバーの使用であって、成長している植物へのカフェインファミリーメンバーの噴霧法、点滴灌漑法若しくは滴下施肥システムによる施用を包含し、カフェインファミリーメンバーを成長している植物における植物の開花を促進するのに適切なレベルで施用する、上記使用。
【請求項５】
式(Ｉ)
【化１】
2009513614.tif 000001
（式中、R1はC1-10アルキル基又はC2-10アルケニル基であり、そしてＭは原子価ｎのカチオンである）
の化合物と併せた、カフェインファミリーメンバーの請求項１〜４のいずれか１項に記載の使用。
【請求項６】
植物に添加するカフェインの量が50〜500ppmの範囲にある、請求項１〜５のいずれか１項に記載の使用。
【請求項７】
組成物がカフェインファミリーのメンバーを含み、カフェインファミリーメンバーが約200ppmの濃度で存在する、植物生殖成長刺激物質として使用するための農業用組成物であって、但し該組成物は(ｉ)二次要素若しくは微量要素、(ii)安息香酸又はその生物学的に許容し得る誘導体若しくは塩、及び(iii)式(Ｉ)
【化２】
2009513614.tif 000002
（式中、R1はC1-10アルキル基又はC2-10アルケニル基であり、そしてＭは原子価ｎのカチオンである）
の水溶性塩、の全てをさらに含むものではない、上記組成物。
【請求項８】
カフェインファミリーのメンバー、及び式(Ｉ)
【化３】
2009513614.tif 000003
（式中、R1はC1-10アルキル基又はC2-10アルケニル基であり、そしてＭは原子価ｎのカチオンである）
の水溶性塩である植物の健康又は成長促進物質を含む農業用組成物であって、但し該組成物は二次要素若しくは微量要素、及び安息香酸又はその生物学的に許容し得る誘導体若しくは塩をさらに含むものではない、上記組成物。
【請求項９】
カフェインファミリーメンバーが50〜500ppmの範囲の濃度で存在する、請求項８に記載の農業用組成物。
【請求項１０】
(ｉ)カフェインファミリーのメンバー及び(ii)植物養分を含み、カフェインファミリーメンバーが約200ppmの濃度で存在する農業用組成物であって、但し該組成物は(ａ)安息香酸又はその生物学的に許容し得る誘導体若しくは塩、及び(ｂ)式(Ｉ)
【化４】
2009513614.tif 000004
（式中、R1はC1-10アルキル基又はC2-10アルケニル基であり、そしてＭは原子価ｎのカチオンである）
の水溶性塩、をさらに含むものではない、上記組成物。
【請求項１１】
植物養分が窒素、リン、カリウム、炭素及び水から選択される１つ又はそれ以上の多量要素；カルシウム、マグネシウム、ナトリウム、塩化物及び硫黄から選択される１つ又はそれ以上の二次要素；又は銅、コバルト、鉄、マンガン、ホウ素、モリブデン、亜鉛、ケイ素及びニッケルから選択される１つ又はそれ以上の微量要素である、請求項１０に記載の組成物。
【請求項１２】
カフェインファミリーメンバーが、プリンの非置換、一、二又は三置換された2,6ジオ
ン誘導体である、請求項１〜６のいずれか１項に記載の使用、又は請求項７〜１１のいずれか１項に記載の農業用組成物。
【請求項１３】
カフェインファミリーメンバーが、カフェイン(3,7−ジヒドロ−1,3,7−トリメチル−1
H−プリン−2,6−ジオン)、キサンチン(3,7−ジヒドロ−1H−プリン−2,6−ジオン)、テオブロミン(3,7−ジヒドロ−3,7−ジメチル−1H−プリン−2,6−ジオン)又はテオフィリン(3,7−ジヒドロ−1,3−ジメチル−1H−プリン−2,6−ジオン)である、請求項１〜６のいずれか１項に記載の使用、又は請求項７〜１１のいずれか１項に記載の農業用組成物。
【請求項１４】
請求項７〜１１のいずれか１項に記載の組成物、及び組成物が分散又は溶解することができる媒体を含む、植物又は植物の環境に施与するための製剤。
【請求項１５】
１つ又はそれ以上の植物養分を添加する前にカフェインファミリーメンバー及び溶媒を混合することを含む、カフェインファミリーのメンバー、１つ又はそれ以上の植物養分、及び溶媒を含む液状農業用製剤の製造方法。
【請求項１６】
カフェインファミリーのメンバーを植物又はその環境に施用することを含む、植物における生殖成長を刺激する方法であって、カフェインファミリーメンバーを植物生殖成長刺激を成就するのに適切なレベルで施用する、上記方法。
【請求項１７】
カフェインファミリーのメンバーを植物又はその環境に施用することを含む、植物における成熟を促進する方法であって、カフェインファミリーメンバーを植物の成熟を促進するのに適切なレベルで施用する、上記方法。
【請求項１８】
植物における開花を増進する又は開花の開始を促進する方法であって、成長している植物にカフェインファミリーのメンバーを噴霧法、点滴灌漑法若しくは滴下施肥システムにより施用することを包含し、カフェインファミリーメンバーを成長している植物における植物の開花を促進するのに適切なレベルで施用する、上記方法。
【請求項１９】
植物における着色を改善する又は着色の開始を促進する方法であって、カフェインファミリーのメンバーを植物又はその環境に、植物の着色の開始を促進するのに適切なレベルで施用することを包む、上記方法。
【請求項２０】
植物における結実を改善する又は結実の開始を促進する方法であって、カフェインファミリーのメンバーを植物又はその環境に、植物の結実の開始を促進するのに適切なレベルで施用することを包む、上記方法。
【請求項２１】
カフェインファミリーメンバーの施用に加えて、植物養分又は式(Ｉ)
【化５】
2009513614.tif 000005
（式中、R1はC1-10アルキル基又はC2-10アルケニル基であり、そして、Ｍは原子価ｎのカチオンである）
の化合物を同時又は順次のいずれかの順序で植物又はその環境に施用することを含む、請求項１６〜２０のいずれか１項に記載の方法。
【請求項２２】
作物に施与する肥料としての請求項７〜１１のいずれか１項に記載の組成物、又は請求項１４に記載の製剤の使用。
【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
細胞増殖性及び／又は細胞分化性障害の治療薬剤製造のためのシアル酸結合免疫グロブリ
ン様レクチン−９（シグレック−９）結合剤の使用。
【請求項２】
細胞増殖性及び／又は細胞分化性障害が、骨髄の免疫システム及び／又は免疫細胞に影響
する請求項１に記載の使用。
【請求項３】
細胞増殖性及び／又は細胞分化性障害が、癌である請求項１または２に記載の使用。
【請求項４】
癌が、単球性のマクロファージ系統及び／又は組織球性系統の悪性疾患及び／又は急性骨
髄性白血病(ＡＭＬ)である請求項３に記載の使用。
【請求項５】
細胞増殖性及び／又は細胞分化性障害が、
(i)   ｉｎｖ（１６）（ｐ１３ｑ２２）を伴う急性骨髄性白血病(ＡＭＬ)；
(ii)  急性骨髄単球性白血病；
(iii) 急性単芽球性および単球性白血病；
(iV)  慢性骨髄単球性白血病；
(v)   若年性骨髄単球性白血病；
(vi)  組織球性肉腫；
(vii) ランゲルハンス細胞組織球症；及び
(viii)ランゲルハンス組織球性肉腫、
からなる群から選ばれる請求項１又は２に記載の使用。
【請求項６】
シグレック−９結合剤が、
(i)   小さな有機分子；
(ii)  ペプチド；
(iii) 炭水化物；及び
(iV)  抗体、
からなる群から選ばれるか、又はシグレック−９結合断片、そのアナログもしくはその一
部である先行請求項の何れか１つに記載の使用。
【請求項７】
シグレック−９結合剤が、シグレック−９と特に結合するモノクローナル抗体又はポリク
ローナル抗体である請求項６に記載の使用。
【請求項８】
抗体が、補体媒介性細胞傷害活性又は抗体依存性細胞傷害活性（ＡＤＣＣ）を誘発しない
請求項６又は７に記載の使用。
【請求項９】
抗体がヘトロ種から誘導される請求項８に記載の使用。
【請求項１０】
抗体がヒト化抗体である請求項９に記載の使用。
【請求項１１】
抗体が、
(i)   Ｆ(ａｂ)２フラグメント；
(ii)  Ｆａｂフラグメント；及び
(iii) 領域抗体（ナノボディ）、
からなる群から選ばれる抗体断片である請求項６から１０の何れかに記載の使用。
【請求項１２】
シグレック−９結合剤が、シグレック−９向けの天然リガンド、シグレック−９結合断片
、そのアナログ、もしくはその一部を含む先行請求項の何れか１つに記載の使用。
【請求項１３】
シグレック−９結合剤が、シアル酸含有炭水化物を含む請求項１２に記載の使用。
【請求項１４】
シグレック−９結合剤が、シグレック−９の活動及び／又は細胞の増殖状態及び／又は分
化状態を調節する先行請求項の何れかに記載の使用。
【請求項１５】
シグレック−９結合剤が、一旦結合すると細胞の内部に内在化するか、細胞内の区画また
は小胞に送られて内在化する先行請求項の何れかに記載の使用。
【請求項１６】
シグレック−９結合剤が、シグレック−９と結合または会合するものの、内在化しない請
求項１‐１４に記載の使用。
【請求項１７】
二つ以上のシグレック結合剤を含むように薬剤を調製する請求項１‐１６に記載の使用。
【請求項１８】
二つ以上のシグレック−９結合剤を含むように薬剤を調製する請求項１７に記載の使用。
【請求項１９】
シグレック−９と相互作用、結合又は会合できる結合部分と、薬剤として使用して細胞の
増殖状態及び／又は分化状態を調節できる活性部分とを含むシグレック−９結合剤。
【請求項２０】
結合剤の活性部分が、結合部分と、融合、連結、結合、接合、連繋又は会合している請求
項１９に記載のシグレック−９結合剤。
【請求項２１】
結合剤の活性部分が、シグレック−９結合剤の結合部分に連結した異種分子を含む請求項
１９又は２０に記載のシグレック−９結合剤。
【請求項２２】
シグレック−９結合剤の結合部分と活性部分とが連結し、ある条件の下で又はある薬剤に
触れると、その結合剤の結合部分と活性部分とが分離する請求項１９‐２１に記載のシグ
レック−９結合剤。
【請求項２３】
シグレック−９結合剤の結合部分と活性部分との連結領域が、環境条件の変化や酵素的切
断に敏感な請求項２２に記載のシグレック−９結合剤。
【請求項２４】
シグレック−９結合剤の活性部分が、異常に増殖又は分化する細胞を死に至らしめるか、
休止状態にする請求項１９‐２３に記載のシグレック−９結合剤。
【請求項２５】
シグレック−９結合剤の活性部分が、有毒物質又は細胞毒性物質を含むか、プログラム細
胞死経路(アポトーシス)を活性化できる分子を含む請求項２４に記載のシグレック−９結
合剤。
【請求項２６】
シグレック−９結合剤の活性部分が、細胞毒であるカリケアマイシン-γ１を含む請求項
２５に記載のシグレック−９結合剤。
【請求項２７】
シグレック−９結合剤が、カリケアマイシン-γ１と接合したシグレック−９と特に結合
する抗体を含む請求項１９‐２６に記載のシグレック−９結合剤。
【請求項２８】
請求項１９‐２７に記載のシグレック−９結合剤と、薬剤として許容される担体又は希釈
剤とを併せた製剤処方。
【請求項２９】
シグレック−９と結合可能な薬剤のスクリーニング法であって、
ｃ）前記薬剤をシグレック−９発現細胞と接触させる工程；及び
ｄ）前記薬剤とシグレック−９との相互作用を検知する工程
を含む前記のスクリーニング法。
【請求項３０】
細胞の分化及び／又は増殖を調節可能な薬剤のスクリーニング法であって、
ｃ）前記薬剤をシグレック−９発現細胞と接触させる工程；及び
ｄ）工程ｃ）での細胞分化及び／又は細胞増殖を対照細胞と比較する工程
を含む前記のスクリーニング法。
【請求項３１】
被検薬剤が、既知のシグレック−９結合剤と融合、連結、結合、接合、合体又は会合させ
る請求項２９又は３０に記載の方法。
【請求項３２】
細胞集団を含む試料又は溶液から、異常に増殖及び／又は分化した細胞を採取するか、あ
るいは、シグレック−９を発現する細胞を除去する方法であって、
ａ）支持基質上にシグレック−９結合剤を固定化する工程；及び
ｂ）固定化したシグレック−９結合剤を細胞試料と接触させる工程
を含む前記した採取法又は除去法。
【請求項３３】
シグレック−９結合剤が、自身を固体支持体と結合させる手段をさらに備える請求項３２
に記載の方法。
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
神経学的疾患の治療用、及び／又は予防用のSDF-1又はSDF-1活性の作動物質を含んでなる医薬組成物。
【請求項２】
前記SDF-1が、SDF-1αである、請求項1に記載の医薬組成物。
【請求項３】
前記SDF-1が、SDF-1α変異体である、請求項1に記載の医薬組成物。
【請求項４】
前記神経学的疾患が、炎症と関連する、請求項1に記載の医薬組成物。
【請求項５】
前記炎症が、神経炎症である、請求項4に記載の医薬組成物。
【請求項６】
前記神経学的疾患が、外傷性神経傷害、脳卒中、CNS又はPNSの脱髄性疾患、神経障害から成る群から選択される、請求項1〜5のいずれか1項に記載の医薬組成物。
【請求項７】
前記神経学的疾患が、末梢神経障害である、請求項1〜6のいずれか1項に記載の医薬組成物。
【請求項８】
前記末梢神経障害が、糖尿病性神経障害又は神経障害性疼痛である、請求項7に記載の医薬組成物。
【請求項９】
前記外傷性神経傷害が、末梢神経の外傷を含む、請求項6に記載の医薬組成物。
【請求項１０】
前記外傷性神経傷害が、脊髄の外傷を含む、請求項6に記載の医薬組成物。
【請求項１１】
前記脱髄性疾患が、多発性硬化症（MS）である、請求項6に記載の医薬組成物。
【請求項１２】
前記脱髄性疾患が、一次進行型多発性硬化症（MS）又は二次進行型多発性硬化症（MS）である、請求項11に記載の医薬組成物。
【請求項１３】
前記脱髄性疾患が、慢性炎症性多発性硬化症、脱髄性多発神経症（CIDP）、及びギラン・バレー症候群（GBS）から選択される、請求項6に記載の医薬組成物。
【請求項１４】
前記SDF-1が、以下の：
（a）配列番号1のアミノ酸を含むポリペプチド；
（b）配列番号4のアミノ酸を含むポリペプチド；
（c）配列番号7のアミノ酸を含むポリペプチド；
（d）シグナル配列をさらに含む（a）〜（c）のポリペプチド；
（e）アミノ酸配列が、（a）〜（c）の配列の少なくとも1つに対して少なくとも40%、50%、60%、70%、80%、若しくは90%の同一性を有する、（a）〜（d）のいずれかの突然変異タンパク質；
（f）高ストリンジェント条件下、（a）〜（c）のいずれかをコードする天然のDNA配列の相補鎖にハイブリダイズするDNA配列によってコードされる、（a）〜（d）のいずれかの突然変異タンパク質；
（g）アミノ酸配列のあらゆる変化が（a）〜（c）のアミノ酸配列に対して保存的なアミノ酸置換である、（a）〜（d）のいずれかの突然変異タンパク質；
（h）（a）〜（d）のいずれかの塩、又はアイソフォーム、融合タンパク質、機能性誘導体、若しくは活性画分、
から成る群から選択される、請求項1〜13のいずれか1項に記載の医薬組成物。
【請求項１５】
前記SDF-1に、血液脳関門の通過を促進する担体分子、ペプチド、又はタンパク質を融合させる、請求項1〜14のいずれか1項に記載の医薬組成物。
【請求項１６】
前記SDF-1をPEG化する、請求項1〜15のいずれか1項に記載の医薬組成物。
【請求項１７】
前記融合タンパク質に、免疫グロブリン（Ig）融合が含まれる、請求項15に記載の医薬組成物。
【請求項１８】
前記医薬品が、同時の、連続した、又は別々の使用のためにインターフェロン、及び／又はオステオポンチン、及び／又はクラステリンとの組み合わせで投与される、請求項1〜17のいずれか1項に記載の医薬組成物。
【請求項１９】
前記インターフェロンがインターフェロンβである、請求項18に記載の医薬組成物。
【請求項２０】
前記SDF-1が、約0.001〜1mg/kg体重、約0.01〜10mg/kg体重、約9、8、7、6、5、4、3、2、若しくは1mg/kg体重、又は約0.1〜1mg/kg体重の量で使用される、請求項1〜19のいずれか1項に記載の医薬組成物。
【請求項２１】
神経学的疾患の治療用、及び／又は予防用の医薬組成物であって、上記核酸分子に、配列番号6の核酸配列、又は以下の：
（a）配列番号1のアミノ酸を含むポリペプチド；
（b）配列番号4のアミノ酸を含むポリペプチド；
（c）配列番号7のアミノ酸を含むポリペプチド；
（d）シグナル配列をさらに含む（a）〜（c）のポリペプチド；
（e）アミノ酸配列が、（a）〜（c）の配列の少なくとも1つに対して少なくとも40%、50%、60%、70%、80%、若しくは90%の同一性を有する、（a）〜（d）のいずれかの突然変異タンパク質；
（f）高ストリンジェント条件下、（a）〜（c）のいずれかをコードする天然のDNA配列の相補鎖にハイブリダイズするDNA配列によってコードされる、（a）〜（d）のいずれかの突然変異タンパク質；
（g）アミノ酸配列のあらゆる変化が（a）〜（c）のアミノ酸配列に対して保存的なアミノ酸置換である、（a）〜（d）のいずれかの突然変異タンパク質；
（h）（a）〜（d）のいずれかの塩、又はアイソフォーム、融合タンパク質、機能性誘導体、若しくは活性画分、
から成る群から選択されるアミノ酸配列を含むポリペプチドをコードする核酸配列が含まれる前記医薬組成物。
【請求項２２】
前記核酸分子に、発現ベクター配列がさらに含まれる、請求項21に記載の医薬組成物。
【請求項２３】
神経学的疾患の治療用、及び／又は予防用の医薬品の製造における、細胞内のSDF-1、又はSDF-1活性の作動物質の内因性産生を誘発する、及び／又は高めるためのベクターの医薬組成物。
【請求項２４】
遺伝子治療のための請求項21〜23のいずれか1項に記載の医薬組成物。
【請求項２５】
神経学的疾患の治療用、及び／又は予防用の医薬品の製造におけるSDF-1、又はSDF-1活性の作動物質を産生するように遺伝子操作をした細胞の医薬組成物。
【請求項２６】
請求項１に記載の医薬組成物であって、必要に応じて、1種類以上の医薬として許容される賦形剤と一緒にインターフェロンを含む、医薬組成物。
【請求項２７】
請求項７に記載の医薬組成物であって、必要に応じて、1種類以上の医薬として許容される賦形剤と一緒にオステオポンチンを含む、医薬組成物。
【請求項２８】
請求項７に記載の医薬組成物であって、必要に応じて、1種類以上の医薬として許容される賦形剤と一緒にクラステリンを含む、医薬組成物。
【手続補正書】
【提出日】平成21年10月27日(2009.10.27)
【手続補正１】
【補正対象書類名】特許請求の範囲
【補正対象項目名】請求項１８
【補正方法】変更
【補正の内容】
【請求項１８】
但し書きのない請求項１から１１の何れか一項に記載の式Ｉの化合物、又はその薬学的に許容可能な塩を含有することを特徴とする、リポキシゲナーゼの活性阻害が所望され、及び／又は必要とされる疾患の治療のための医薬。
【手続補正２】
【補正対象書類名】明細書
【補正対象項目名】０１１４
【補正方法】変更
【補正の内容】
【０１１４】
１-ジエチルカルバモイル-５-ジフルオロメチルピラゾール-３-カルボン酸エチルエステル(ＶＩ)
(ａ)銅(ＩＩ)５-エトキシ-１,１-ジフルオロ-４,５-ジオキソペント-２-エン-２-オラート(olate)
１,１-ジフルオロアセトン(１．０ｇ、１０．６３ｍｍｏｌ)を、無水ジエチルエーテル(１０ｍＬ)に水素化リチウム(８５ｍｇ、１０．６３ｍｍｏｌ)及びジエチルオキサラート(１．５５ｇ、１０．６３ｍｍｏｌ)が入った攪拌混合物に滴下した。混合物を還流にて１８時間加熱した。室温まで冷却させた後、水(２ｍＬ)に酢酸(６３８μＬ、１１．１６ｍｍｏｌ)が入った溶液、及び水(８ｍＬ)に酢酸銅(ＩＩ)(２．２３ｇ、１１．１６ｍｍｏｌ)が入った溶液を、順次、反応混合物に添加した。混合物を室温で５分攪拌し、形成した沈殿物を濾過し、空気中で乾燥させた。収量：３．７２ｇ(７７％)の暗青色の粉末。
融点：１４５．６-１４７．９℃。
【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
１．６ｅＶ超の、バンドギャップの大きい素材から成る光伝導基板であって、少なくとも１つの凹部と、光エネルギを光源から受けるために、前記光源に対して光学的に接続可能な切子面とを有するところの光伝導基板と、
前記基板に対して電気的に接続された２つの電極であって、その少なくとも一方が、前記少なくとも１つの凹部のうちの対応する凹部内に、接触した状態で載置される凸状面を有し、前記基板の両端間に電位をかけるための２つの電極と、
少なくとも１つの電界変化ライナであって、電界をそれらに沿って段階的に変化させるために、電極接触面を取り囲んで、前記基板上に形成されるところの少なくとも１つの電界変化ライナと
を備える光伝導スイッチ。
【請求項２】
前記少なくとも１つの電界変化ライナは、対向する面である複数の電極接触面のうちの対応する１つを取り囲んで、前記基板上に一体的に形成されるところの２つの電界変化ライナから構成される、請求項１に記載の光伝導スイッチ。
【請求項３】
前記２つの電界変化ライナは、前記電極の外周に隣接している、請求項２に記載の光伝導スイッチ。
【請求項４】
前記２つの電界変化ライナは、前記電極の前記基板からの境界部分において、電界を段階的に変化させるための、前記２つの凹部の縁部を形成する、請求項３に記載の光伝導スイッチ。
【請求項５】
前記電界変化ライナは、高誘電率素材である、請求項２に記載の光伝導スイッチ。
【請求項６】
前記電界変化ライナは、導体素材および半導体素材から成るグループから選択される、請求項２に記載の光伝導スイッチ。
【請求項７】
前記電界変化ライナは、窒化ケイ素から成る、請求項６に記載の光伝導スイッチ。
【請求項８】
前記導体素材または半導体素材は、約１ミクロンの深さで前記基板内に延びる、前記基板のドープサブ表面層として形成される、請求項７に記載の光伝導スイッチ。
【請求項９】
前記基板は、導体素材および半導体素材から成るグループから選択される分割層によって分離される少なくとも２つの光伝導層を有する多層体である、請求項１に記載の光伝導スイッチ。
【請求項１０】
前記基板は、４ｈ  ＳｉＣ，６ｈ  ＳｉＣおよびＧａＮから成るグループから選択される補償型半絶縁素材である、請求項１に記載の光伝導スイッチ。
【請求項１１】
前記基板は、結晶構造を有し、そして、Ａ−平面，Ｃ−平面およびＭ−平面から成るグループから選択される平面内で切断された半絶縁ＳｉＣである、請求項１０に記載の光伝導スイッチ。
【請求項１２】
前記基板は、前記Ｃ−平面で切断され、そして、相互にずらされている少なくとも２つの層を備える、請求項１１に記載の光伝導スイッチ。
【請求項１３】
前記半絶縁ＳｉＣは、以下のドーパント、すなわち、ボロン、バナジウム、窒素、アルミニウム、リン、酸素、タングステンおよび亜鉛のうちの少なくとも１つでドープされている、請求項１０に記載の光伝導スイッチ。
【請求項１４】
全内部反射を生み出すために、前記基板の少なくとも１つの切子面に、誘電体がコーティングされる、請求項１に記載の光伝導スイッチ。
【請求項１５】
前記基板の電気接触面は凹状ではなく、そして、前記電極は凸状ではない、請求項１または２に記載の光伝導スイッチ。
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
ａ）光出力を有する有機発光ダイオード（ＯＬＥＤ）と、
ｂ）照明のために光が発生される、照明領域および／またはアクティブ領域とを備え、前記発光ダイオードの光出力は、これら領域の使用と共に変化し、
前記照明領域（および／またはアクティブ領域に接続されていないアイソレートされた領域であり、前記照明領域よりも実質的に小さい基準領域と、
前記基準領域、前記照明領域および／または前記アクティブ領域が上部に位置する基板と、
ｃ）前記照明領域および／またはアクティブ領域の少なくとも１つのアクティブ値および前記基準領域の少なくとも１つの基準値を検出する測定回路、および、
前記アクティブ値と前記基準値とを比較し、この比較に応答し、補正信号を発生し、前記照明領域の前記光出力の変化を補償する制御回路を含み、
前記基準領域、前記照明領域および／または前記アクティブ領域に接続されており、前記照明領域および／または前記アクティブ領域とは別個に前記基準領域をドライブするためのドライバーとを備え、
前記制御回路は、前記アクティブ値および前記基準値に基づき、前記照明領域のための前記補正信号を計算することを特徴とする照明デバイス。
【請求項２】
前記アクティブ領域は、前記照明領域に接続された、アイソレートされていない領域である請求項１記載の照明デバイス。
【請求項３】
前記ドライバーは、前記照明領域、前記基準領域および前記アイソレート領域に別々に接続されている請求項１記載の照明デバイス。
【請求項４】
前記基準領域および／または前記アイソレート領域は、前記照明領域よりも実質的に小さい請求項１乃至３の何れか１項に記載の照明デバイス。
【請求項５】
前記基準領域および／または前記アイソレート領域は、前記照明領域の境界に位置する請求項１乃至４の何れか１項に記載の照明デバイス。
【請求項６】
前記ドライバーは、前記補正信号を推定するための固定されたデバイス特性回路を含む請求項１乃至５の何れか１項に記載の照明デバイス。
【請求項７】
ａ）光出力を有する有機発光ダイオード（ＯＬＥＤ）と、
ｂ）照明のために光が発生される、照明領域および／またはアクティブ領域とを備え、前記発光ダイオードの光出力は、これら領域の使用と共に変化し、
前記照明領域および／またはアクティブ領域に接続されていないアイソレートされた領域であり、前記照明領域よりも実質的に小さい基準領域と、
前記基準領域、前記照明領域および／または前記アクティブ領域が上部に位置する基板と、
ｃ）前記基準領域、前記照明領域および／または前記アクティブ領域に接続されており、前記照明領域および／または前記アクティブ領域とは別個に前記基準領域をドライブするためのドライバーとを備えた、前記有機発光ダイオード（ＯＬＥＤ）を備えた照明デバイスのエイジングプロセスを制御するための方法において、
測定回路により前記照明領域および／または前記アクティブ領域の少なくとも１つのアクティブ値および前記基準領域の少なくとも１つの基準値を検出するステップと、
前記アクティブ値と前記基準値とを比較するステップと、
前記アクティブ値および前記基準値に基づき、前記照明領域のための前記補正信号を計算する制御回路により、前記照明領域の前記光出力の変化を補償するよう、前記比較に応答して補正信号を発生するステップとを備えた、照明デバイスのエージングプロセスを制御するための方法。
【請求項８】
前記固定されたデバイス特性は、前記補正信号を決定する請求項７記載の方法。
【請求項９】
前記固定されたデバイス特性は、前記補正信号を発生するための数学的関数および／またはルックアップテーブルを含む請求項８記載の方法。
【請求項１０】
前記照明デバイスの正常な照明のために、前記基準領域のスイッチを切る請求項８記載のステップを周期的に実行する請求項７乃至９の何れか１項に記載の方法。
【請求項１１】
前記アクティブ値および前記基準値は、電流の値および／または電圧の値および／または容量の値である請求項７乃至１０の何れか１項に記載の方法。
【請求項１２】
請求項１乃至６の何れか１項に記載の照明デバイスによる請求項７乃至１１の何れか１項に記載の方法。
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
半導体ダイを封止する方法であって、
ダイをリードフレームにマウントするダイマウント工程と、
フィラー粒子を樹脂に添加するフィラー添加工程と、フィラー粒子は複数のサイズのフィラーの混合物であり、前記樹脂内に緊密に詰め込まれることと、
ダイの一部分を、第１誘電率および第１損失正接を有する緩衝領域で被覆するダイ被覆工程と、緩衝領域は前記樹脂と、前記樹脂内に詰め込まれたフィラーとを含むことと、
ダイおよび緩衝領域が配置されたリードフレームを、樹脂封止に適する型に配置するリードフレーム配置工程と、ダイおよび緩衝領域は型のキャビティに配置されることと、
封止樹脂を型のキャビティに配置して、リードフレーム、ダイ、および緩衝領域の周りの型のキャビティに、第２誘電率および第２損失正接を有する樹脂材料を充分に充填する封止樹脂配置工程と、を含み、第２誘電率は第１誘電率よりも大きく、かつ、第２損失正接は第１損失正接よりも大きい、方法。
【請求項２】
ダイ被覆工程の後に、緩衝領域を硬化させる工程を含む、請求項１記載の方法。
【請求項３】
ダイ被覆工程は、中空微小球を含みフィラーを含む緩衝領域材料でダイの一部分を被覆する工程を含む、請求項１記載の方法。
【請求項４】
ダイ被覆工程は、第２誘電率の約８０％未満の第１誘電率を有する緩衝領域材料でダイの一部分を被覆する工程を含む、請求項３記載の方法。
【請求項５】
ダイ被覆工程は、３００マイクロメートル以下の粒子を有するフィラーを有する緩衝領域材料でダイの一部分を被覆する工程を含む、請求項３記載の方法。
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
共通基板に固定された複数の発光源を備え、
各発光源は、少なくとも１つの発光ダイオード（ＬＥＤ）を備え、
各発光源は、関連する光源の光出力だけを検出する１つの光センサを備え、
各発光源は、前記関連する光センサによって検出された光出力に基づき、各光源のドライブを制御するアナログ制御回路に接続されており、
各制御回路は、前記関連する光センサに接続されたコンパレータを有することを特徴とするカラー照明デバイス。
【請求項２】
前記コンパレータは、アナログシュミットトリガー回路であることを特徴とする請求項１記載のカラー照明デバイス。
【請求項３】
前記制御回路は、前記コンパレータに接続されたドライバを備え、前記ドライバの出力は、前記光源に接続されたローパスフィルタにガイドされることを特徴とする請求項１または２記載のカラー照明デバイス。
【請求項４】
前記ドライバは、増幅器またはスイッチであることを特徴とする請求項１乃至３の何れか１項に記載のカラー照明デバイス。
【請求項５】
前記光センサは、前記光源に隣接するよう、前記基板に配置されているか、または前記光センサは、前記光源と前記基板の間に配置されるか、または前記光センサと前記光源との間に前記基板が配置されていることを特徴とする請求項１乃至４の何れか１項に記載のカラー照明デバイス。
【請求項６】
前記光センサは、光学フィルタを備えることを特徴とする請求項１乃至５の何れか１項に記載のカラー照明デバイス。
【請求項７】
前記光学フィルタは、前記光センサに配置された少なくとも１つの層を含むことを特徴とする請求項１乃至６の何れか１項に記載のカラー照明デバイス。
【請求項８】
前記光学フィルタは、複数の層を備え、これら層は、誘電層および／または導電層であることを特徴とする請求項１乃至７の何れか１項に記載のカラー照明デバイス。
【請求項９】
前記フィルタは、前記関連する光源が発生する光のカラーだけに感応することを特徴とする請求項１乃至８の何れか１項に記載のカラー照明デバイス。
【請求項１０】
共通基板に固定された複数の発光源を備え、
各発光源は、少なくとも１つの発光ダイオード（ＬＥＤ）を備え、
各発光源は、関連する光源の光出力だけを検出する１つの光センサを備え、
各発光源は、前記関連する光センサによって検出された光出力に基づき、各光源のドライブを制御するアナログ制御回路に接続されており、
各制御回路は、前記関連する光センサに接続されたコンパレータを有するカラー照明デバイスの光出力を制御する方法であって、
前記単一の光源の実際の光出力に関する情報を含む光信号を検出するステップと、
前記コンパレータが前記光信号と基準信号とを比較する前記制御回路に光信号をガイドするステップとを備え、
前記光信号が前記基準信号よりも小さい場合に、
前記制御回路は、前記発光源に対するドライブ信号を増加させる高出力信号を発生し、
前記光信号が前記基準信号よりも大きい場合に、
前記制御回路は、前記発光源に対するドライブ信号を減少させる低出力信号を発生することを特徴とするカラー照明デバイスの光出力を制御する方法。
【請求項１１】
前記制御回路は、前記コンパレータに接続されたドライバを備え、前記ドライバの出力は、前記光源に接続されたローパスフィルタにガイドされ、前記低出力信号の値は０であることを特徴とする請求項１０記載の方法。
【請求項１２】
ローパスフィルタとコンパレータとの組み合わせによって４００Ｈｚよりも低い周波数を発生しないことを特徴とする請求項１０または１１記載の方法。
【請求項１３】
請求項１０のステップを連続的に実行することを特徴とする請求項１０乃至１２の何れか１項に記載の方法。
【請求項１４】
前記光信号および前記基準信号は、電圧信号または電流信号であることを特徴とする請求項１０乃至１３の何れか１項に記載の方法。
【請求項１５】
すべての発光源に対して前記請求項１０のステップを同時に実行することを特徴とする請求項１０乃至１４の何れか１項に記載の方法。
【請求項１６】
請求項１乃至９に記載のカラー照明デバイスと組み合わせた請求項１０乃至１５記載の方法。